(57)【要約】      （修正有）【課題】調理中に吹き零れた水等が、天板部と支持枠との接合部分から本体ケースの内部に滴下しても、本体ケースの長手方向に沿って排水することができる加熱調理器を提供する。【解決手段】加熱調理器は、本体ケース１と、天板部と、本体ケースの上面を形成する支持枠と、支持枠の前面側に設けられた調理用の操作部と、を備えている。操作部は、操作表示部と、操作表示部を介して操作信号が入力される操作基板と、操作基板の上面を覆う操作部カバー７と、を有している。操作部カバーは、本体ケースの長手方向に沿って分割された複数体で構成され、天板部と支持枠の接合部分の下方に配置された排水溝７０、７１が、本体ケースの長手方向に沿って設けられている。分割した操作部カバーのうち、上流側に位置する操作部カバーの排水溝７０の端部が、下流側に位置する操作部カバーの排水溝７１の端部よりも上部に重なるように設けられている。【選択図】図５
2018169116.tif 000002
【特許請求の範囲】
【請求項１】
上部に開口を有する箱形状の本体ケースと、
前記本体ケースの上部開口を覆い、被加熱物を載置可能な天板部と、
前記天板部の周囲を囲い、前記本体ケースの上面を形成する支持枠と、
前記支持枠の前面側に設けられた調理用の操作部と、を備え、
前記操作部は、
前記支持枠の上面に設けられた操作表示部と、
前記本体ケースの内部に設けられ、前記操作表示部を介して操作信号が入力される操作基板と、
前記本体ケースの内部に設けられ、前記操作基板の上面を覆う操作部カバーと、を有し、
前記操作部カバーは、前記本体ケースの長手方向に沿って分割された複数体で構成され、前記天板部と前記支持枠の接合部分の下方に配置された排水溝が、前記本体ケースの長手方向に沿って設けられており、
前記分割した操作部カバーのうち、上流側に位置する操作部カバーの排水溝の端部が、下流側に位置する操作部カバーの排水溝の端部よりも上部に重なるように設けられている、加熱調理器。
【請求項２】
前記操作部カバーは、合成樹脂材で形成されている、請求項１に記載の加熱調理器。
【請求項３】
前記操作部カバーには、前記操作表示部からの操作信号の入力を操作基板に伝達するスイッチ押下機構が形成されている、請求項１又は２に記載の加熱調理器。
【請求項４】
前記排水溝は、前記本体ケースの長手方向における一方の端部に向かって傾斜している、請求項１〜３のいずれか一項に記載の加熱調理器。
【請求項５】
前記本体ケースの内部には、前記操作基板を支持する基板ホルダが設けられており、
前記基板ホルダには、引き廻した配線を保持する配線溝が、前記排水溝の下方であって前記本体ケースの長手方向に沿って設けられている、請求項１〜４のいずれか一項に記載の加熱調理器。
【発明の詳細な説明】
【技術分野】
【０００１】
本発明は、本体ケースの上面に調理用の操作部を備えた加熱調理器に関するものである。
【背景技術】
【０００２】
従来、加熱調理器は、上部に開口を有する箱形状の本体ケースと、本体ケースの上部開口を覆い被加熱物を載置可能な天板部と、天板部の周囲を囲い本体ケースの上面を形成する支持枠と、支持枠の前面側に設けられた調理用の操作部と、を備えた構成が知られている。加熱調理器では、長期間の使用によって、天板部と支持枠との接合強度が低下し、天板部と支持枠との間に隙間が形成される場合がある。その隙間から調理中に吹き零れた水等が本体ケースの内部へ進入すると、本体ケースの内部に収納した制御基板及び操作基板等に滴下して、制御基板及び操作基板等が故障する原因となる。
【０００３】
例えば、特許文献１に開示された加熱調理器は、支持枠の前面側に接着剤等で貼り付けた複数の操作エンボスを有する操作表示シートと、操作表示シートと対向するように支持枠の下部に配置され、操作表示シートの操作エンボスと対向した位置に各種の操作入力ボタンが設けられた操作表示駆動部と、を有している。支持枠には、操作表示シートの操作エンボスと対向する位置に開口部が形成されている。そして、操作表示駆動部の上面には、ゴム系材料からなる防水カバーが設けられている。
【先行技術文献】
【特許文献】
【０００４】
【特許文献１】特許第４４８４８９３号公報
【発明の概要】
【発明が解決しようとする課題】
【０００５】
特許文献１に開示された加熱調理器は、操作表示シートの接着剤の破壊や貼り付け作業の不備等によって接着剤が剥がれた場合であっても、その剥がれた隙間から本体ケースの内部に進入した水等から操作表示駆動部を保護することができる。しかし、操作表示駆動部を保護することはできても、進入した水等を本体ケースの端部に排水できる構造ではないため、そのまま本体ケースの内部下方に滴下し、制御基板等が故障する虞がある。
【０００６】
本発明は、上記のような課題を解決するためになされたもので、調理中に吹き零れた水等が、天板部と支持枠との接合部分の隙間から本体ケースの内部に滴下しても、本体ケースの長手方向に沿って排水することができる加熱調理器を提供することを目的とする。
【課題を解決するための手段】
【０００７】
本発明に係る加熱調理器は、上部に開口を有する箱形状の本体ケースと、前記本体ケースの上部開口を覆い、被加熱物を載置可能な天板部と、前記天板部の周囲を囲い、前記本体ケースの上面を形成する支持枠と、前記支持枠の前面側に設けられた調理用の操作部と、を備え、前記操作部は、前記支持枠の上面に設けられた操作表示部と、前記本体ケースの内部に設けられ、前記操作表示部を介して操作信号が入力される操作基板と、前記本体ケースの内部に設けられ、前記操作基板の上面を覆う操作部カバーと、を有し、前記操作部カバーは、前記本体ケースの長手方向に沿って分割された複数体で構成され、前記天板部と前記支持枠の接合部分の下方に配置された排水溝が、前記本体ケースの長手方向に沿って設けられており、前記分割した操作部カバーのうち、上流側に位置する操作部カバーの排水溝の端部が、下流側に位置する操作部カバーの排水溝の端部よりも上部に重なるように設けられているものである。
【発明の効果】
【０００８】
本発明に係る加熱調理器によれば、調理中に吹き零れた水等が、天板部と支持枠との接合部分の隙間から本体ケースの内部に滴下しても、操作部カバーに設けられた排水溝で水等を受け止めて、本体ケースの長手方向に沿って排水することができる。
【図面の簡単な説明】
【０００９】
【図１】本発明の実施の形態に係る加熱調理器を背面側から見た斜視図である。
【図２】本発明の実施の形態に係る加熱調理器の内部構造を示した斜視図である。
【図３】本発明の実施の形態に係る加熱調理器であって、内部構造の要部を拡大して示した断面斜視図である。
【図４】本発明の実施の形態に係る加熱調理器であって、内部構造の要部を拡大して示した縦断面図である。
【図５】本発明の実施の形態に係る加熱調理器であって、操作部カバーを取り外した状態における内部構造の要部を拡大して示した斜視図である。
【図６】図２に示したＡ部拡大図である。
【図７】本発明の実施の形態に係る加熱調理器であって、操作部カバーを取り外した状態における内部構造を、図５とは別の角度から拡大して示した斜視図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態．
図１は、本発明の実施の形態に係る加熱調理器を背面側から見た斜視図である。図２は、本発明の実施の形態に係る加熱調理器の内部構造を示した斜視図である。図３は、本発明の実施の形態に係る加熱調理器であって、内部構造の要部を拡大して示した断面斜視図である。図４は、本発明の実施の形態に係る加熱調理器であって、内部構造の要部を拡大して示した縦断面図である。図５は、本発明の実施の形態に係る加熱調理器であって、操作部カバーを取り外した状態における内部構造の要部を拡大して示した斜視図である。図６は、図２に示したＡ部拡大図である。図７は、本発明の実施の形態に係る加熱調理器であって、操作部カバーを取り外した状態における内部構造を、図５とは別の角度から拡大して示した斜視図である。
【００１２】
本実施の形態に係る加熱調理器１００は、誘導加熱コイルに高周波電流を流すことによって生じる高周波磁束で渦電流を誘起し、それによって発生するジュール熱で被加熱物の加熱を行う、据え置き型あるいはビルトイン型の誘導加熱調理器である。加熱調理器１００は、図１及び図２に示すように、上部に開口を有する箱形状の本体ケース１と、本体ケース１の上部開口を覆う天板部２と、天板部２の周囲を囲い、本体ケース１の上面を形成する支持枠３と、支持枠３の前面側に設けられた操作部４と、を備えている。
【００１３】
本体ケース１の内部には、図２〜図４に示すように、加熱手段として電磁誘導加熱コイル（以下、加熱コイル１０という）と、この加熱コイル１０の電力を制御する電子部品が実装されたインバータ基板等の制御基板１４と、制御基板１４及び加熱コイル１０等を冷却するための冷却風を発生させる冷却装置（冷却ファン）等が配置されている。
【００１４】
本体ケース１の上面には、ステンレス材等の錆難く剛性を持った素材で構成された支持枠３が着脱自在に取り付けられており、支持枠３の中央に天板部２、前面側に操作部４がそれぞれ配置されている。支持枠３の背面側には、本体ケース１の内部に空気を取り込むための吸気口１１と、本体ケース１の内部に取り込んだ空気を排気するための排気口１２が形成されている。また、支持枠３の背面側には、吸気口１１及び排気口１２を覆うカバー１３が設けられている。
【００１５】
天板部２は、平板形状に形成された例えば結晶化ガラス又はセラミック等の非金属材料で構成され、本体ケース１の上面の開口に設けられている。天板部２は、シリコン接着剤等によって外縁が支持枠３に接着され、支持枠３と一体化されている。天板部２の上面には、被加熱物の載置位置を示す載置位置表示部２ａ、２ｂが印刷等により表示されている。これらの載置位置表示部２ａ、２ｂの下方には、加熱手段である加熱コイル１０が対向して配置されている。なお、載置位置表示部２ａ、２ｂは、図示した印刷等による表示に限らず、例えば電源を入れると光って載置位置を表示する構成でもよい。
【００１６】
加熱手段は、本体ケース１内に配置された例えば２つの加熱コイル１０からなり、これらの加熱コイル１０の電力を制御する制御基板１４によって制御される。なお、加熱源として２つの加熱コイル１０を用いているが、全てを加熱コイル１０とする必要は無く、例えば、載置位置表示部２ａ、２ｂの下方にラジエントヒーターを設置してもよい。また、加熱コイル１０を２つとしているが、３つ又は４つとしてもよい。
【００１７】
操作部４は、加熱調理に関する操作入力を受け付ける入力装置である。使用者は、操作部４を用いて、火力の調整、調理メニューの選択及び指示の操作を行うことができる。操作部４は、図１〜図５に示すように、支持枠３の前面側の上面に接着剤等で貼り付けられた操作表示部である操作部シート５と、本体ケース１の内部に設けられ、操作表示部５を介して操作信号が入力される操作基板６と、本体ケース１の内部に設けられ、操作基板６の上面を覆う操作部カバー７と、を有している。
【００１８】
操作部シート５には、図１及び図３に示すように、複数の操作エンボス５ａが本体ケース１の長手方向に沿って複数設けられている。支持枠３の前面側には、操作部シート５に設けた複数の操作エンボス５ａに対応する位置に開口が複数形成されている。
【００１９】
操作基板６は、図５に示すように、操作部シート５に対応する下方位置であって、本体ケース１の長手方向に沿って２つ設けられている。一方の加熱コイル１０を操作するための操作基板６Ａと、他方の加熱コイル１０を操作するための操作基板６Ｂである。操作基板６には、操作部シート５の操作エンボス５ａを介して操作信号が入力される。各操作基板６Ａ、６Ｂは、本体ケース１の内部に固定された基板ホルダ８によって共通に支持されている。
【００２０】
操作部カバー７は、合成樹脂材からなり、図３〜図５に示すように、操作基板６と支持枠３との間に配置されて、操作基板６を水等から保護するために設けられている。操作部カバー７は、操作基板６に対応させた形状であり、本体ケース１の長手方向に沿って２分割した構成である。但し、操作部カバー７は、操作基板６に対応させることなく３分割以上とした構成でもよい。各操作部カバー７Ａ、７Ｂには、図５〜図７に示すように、操作部シート５の操作エンボス５ａに対応する位置に、操作部シート５からの操作信号の入力を操作基板６に伝達するスイッチ押下機構として、操作入力ボタン７２が複数形成されている。つまり、使用者は、操作部シート５の操作エンボス５ａを押下すると、操作入力ボタン７２を通じて操作基板６に操作信号が入力され、各種操作が可能となる。なお、詳細に図示することは省略したが、操作部カバー７とスイッチ押下機構７２は、別部材とした構成でもよい。
【００２１】
各操作部カバー７Ａ、７Ｂには、天板部２と支持枠３の接合部分の下方に配置された排水溝７０、７１が、本体ケース１の長手方向に沿って設けられている。排水溝７０、７１は、操作部カバー７の背面側における縁辺から天板部２に向かって略Ｌ字状に突き出すように屈曲させた形状で設けられている。この排水溝７０、７１は、本体ケース１の長手方向における一方の端部（図示例の場合では、背面側から見て右側）に向かって下方に、例えば１度程度傾斜させている。背面側から見て左側における本体ケース１内部には、制御基板１４等が配置されている場合があるからである。排水溝７０、７１に傾斜を設けることで、排水溝７１に溜まった水等を本体ケース１の端部へ誘導することができ、効率良く排水することができる。
【００２２】
操作部カバー７は、図６に示すように、分割した２つの操作部カバー７のうち、上流側に位置する操作部カバー７Ａの排水溝７０の端部が、下流側に位置する操作部カバー７Ｂの排水溝７１の端部よりも上部に重なるように設けられている。隣接する操作部カバー７Ａ、７Ｂの排水溝７０、７１の合わせ目から水が滴下することを防止するためである。なお、上流側に位置する操作部カバー７Ａの排水溝７０の端部と、下流側に位置する操作部カバー７Ｂの排水溝７１の端部とを重ねることなく、例えば排水溝７０、７１の端部の合わせ目にシート等の保護部材を取り付けて、水等の滴下を防止した構成でもよい。要するに、図示した形態に限定されず、隣接する操作部カバー７Ａ、７Ｂの排水溝７０、７１の合わせ目から水等の滴下を防止することができる構造であれば、他の形態でもよい。
【００２３】
因みに、本実施の形態では、操作部カバー７を合成樹脂材で形成しているが、例えばゴム等の弾性材で形成することも考えられる。しかし、操作部カバー７をゴム等で形成した場合、その形状が安定しないため、排水溝で受け止めた水が思うように流れず、一か所に集中して溜まる虞がある。その結果、排水溝に溜まった水が溢れて、本体ケース１の内部の下方へ零れたり、或いは操作表示部５の操作による振動で、排水溝に溜まった水が本体ケース１の内部の下方へ零れたりするおそれがある。更に、操作部カバーは、本体ケース１の長手方向に沿った長い長方形状とした構成なので、合成樹脂材よりも寸法の調整が難しいゴム等の弾性材で、操作入力ボタンを一体形成するとなると、操作基板及び操作表示部との位置関係にずれが生じる問題もある。これらの理由により、本実施の形態の操作部カバー７は、寸法の調整が容易であり、形状が安定する合成樹脂材で形成している。
【００２４】
基板ホルダ８の側面には、図３〜図７に示すように、例えば制御基板１４と操作基板６とを接続するために本体ケース１の内部に引き廻した配線を保持する配線溝８０が、排水溝７０、７１の下方であって本体ケース１の長手方向に沿って間隔をあけて複数設けられている。つまり、本体ケース１の内部に通した配線を配線溝８０によって整えることができるので、配線のあばれを防止することができる。また、配線溝８０が排水溝７１の下方に配置されているので、天板部２と支持枠３との接合部分の隙間から本体ケース１の内部に滴下した水等が配線に掛かることもない。なお、配線溝８０は、図示したように、間隔をあけて複数設けた構成に限定されず、本体ケース１の長手方向に沿って連続させて設けてもよい。
【００２５】
上記のように、本実施の形態に係る加熱調理器１００は、上部に開口を有する箱形状の本体ケース１と、本体ケース１の上部開口を覆い、被加熱物を載置可能な天板部２と、天板部２の周囲を囲い、本体ケース１の上面を形成する支持枠３と、支持枠３の前面側に設けられた操作部４と、を備えている。操作部４は、支持枠３の上面に設けられた操作表示部５と、本体ケース１の内部に設けられ、操作表示部５を介して操作信号が入力される操作基板６と、本体ケース１の内部に設けられ、操作基板６の上面を覆う操作部カバー７と、を有している。操作部カバー７は、本体ケース１の長手方向に沿って分割された複数体で構成され、天板部２と支持枠３の接合部分の下方に配置された排水溝７０、７１が、本体ケース１の長手方向に沿って設けられている。
【００２６】
よって、加熱調理器１００は、調理中に吹き零れた水等が、天板部２と支持枠３との接合部分の隙間から本体ケース１の内部に滴下しても、排水溝７１で水等を受け止めて、本体ケース１の長手方向に沿って排水することができるので、操作基板６及び制御基板１４等を確実に保護することができる。また、加熱調理器１００は、操作部カバー７が本体ケース１の長手方向に沿って分割された複数体で構成されているので、組み立てる際の寸法調整が容易となり、位置ずれ等が生じることもなく、排水溝７０、７１で水等を確実に受け止めることができる。
【００２７】
また、操作部カバー７は、分割した操作部カバー７のうち、上流側に位置する操作部カバー７Ａの排水溝７０の端部が、下流側に位置する操作部カバー７Ｂの排水溝７１の端部よりも上部に重なるように設けられている。よって、加熱調理器１００は、操作部カバー７を複数体で構成した場合であっても、隣接する操作部カバー７Ａ、７Ｂの排水溝７０、７１の合わせ目から水等が滴下することがない。
【００２８】
また、操作部カバー７は、合成樹脂材で形成されているので、例えばゴム等の弾性材で形成する場合と比較して、寸法の調整が容易であり形状を安定させることができる。
【００２９】
操作部カバー７には、操作表示部５からの操作信号の入力を操作基板６に伝達するスイッチ押下機構７２が形成されているので、操作基板６を水等から保護しつつ、操作表示部５からの操作を操作基板６へ入力することができる。また、スイッチ押下機構７２を操作部カバー７に一体成形することで、製造コストを削減でき、経済的となる。
【００３０】
また、排水溝７１は、本体ケース１の長手方向における一方の端部に向かって傾斜している。よって、加熱調理器１００は、排水溝７１で受け止めた水等を効率良く排水することができる。
【００３１】
また、本体ケース１の内部には、操作基板６を支持する基板ホルダ８が設けられており、基板ホルダ８には、引き廻した配線を保持する配線溝８０が、排水溝７１の下方であって本体ケース１の長手方向に沿って設けられている。よって、加熱調理器１００は、本体ケース１の内部に通した配線を配線溝８０によって整えることができるので、配線のあばれを防止することができる。
【００３２】
以上に本発明を実施の形態に基づいて説明したが、本発明は上述した実施の形態の構成に限定されるものではない。例えば、図示した加熱調理器１００の構成は、一例であって、上述した内容に限定されるものではなく、他の構成要素を含んだ加熱調理器であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００３３】
１  本体ケース、２  天板部、２ａ、２ｂ  載置位置表示部、３  支持枠、４  操作部、５  操作部シート（操作表示部）、５ａ  操作エンボス、６、６Ａ、６Ｂ  操作基板、７、７Ａ、７Ｂ  操作部カバー、８  基板ホルダ、１０  加熱コイル、１１  吸気口、１２  排気口、１３  カバー、１４  制御基板、７０、７１  排水溝、７２  操作入力ボタン（スイッチ押下機構）、８０  配線溝、１００  加熱調理器。
【図１】
2018169116.tif 000003
【図２】
2018169116.tif 000004
【図３】
2018169116.tif 000005
【図４】
2018169116.tif 000006
【図５】
2018169116.tif 000007
【図６】
2018169116.tif 000008
【図７】
2018169116.tif 000009